(57)【特許請求の範囲】
【請求項１】
収容する液体を加熱する発熱体と、使用状態を検出する使用検出手段と、前記使用検出手段からの出力を蓄積していく記憶手段と、前記記憶手段に蓄積された使用実態により前記発熱体への通電を制御する制御部を設け、前記使用検出手段からの出力を蓄積中に、蓄積中状態であることを表示させる表示部を設けた電気湯沸かし器。
【発明の詳細な説明】
【０００１】
【発明の属する技術分野】
本発明は、容器内に収容した液体を加熱、保温し、器体外へ導出する電気湯沸かし器に関するものである。
【０００２】
【従来の技術】
従来、この種の電気湯沸かし器の使用実態と保温温度の関係は、図１３のようであり、いかなる状態においても一定の保温温度を保つために発熱体への通電制御を行うものであった。また、周囲の明暗や音を検出し使用の可能性がないと判断した場合に節電状態に移行するものであった。
【０００３】
【発明が解決しようとする課題】
しかしながら、前記従来の構成では、使用頻度の低い夜間などでも発熱体への通電制御が行われ、使用者自身が何らかの方法によって通電を一時的に停止させなければ、必要以上に電力の消費が行われるという課題があった。また、周囲の明暗や音を検出し節電状態に移行するものでは周辺環境によって誤動作する可能性が高かった。
【０００４】
本発明は上記従来の課題を解決するもので、使用者の生活パターンにおいて使用頻度の低い時間帯は自動的に通電制御を停止させ節電を行い、表示部にその節電効果や蓄積中状態であることを表示する電気湯沸かし器の提供を目的とする。
【０００５】
【課題を解決するための手段】
前記従来の課題を解決するために、本発明の電気湯沸かし器は収容する液体を加熱する発熱体と、外部操作により使用状態を検出する使用検出手段と、使用検出手段からの出力を蓄積していく記憶手段と、記憶手段に蓄積された使用実態をもとに使用者の生活パターンを分析し発熱体への通電を制御する制御部を設け、前記使用検出手段からの出力を蓄積中に、蓄積中状態であることを表示させる表示部を設けたものである。
【０００６】
これにより使用頻度の低い時間帯は自動的に通電制御を停止させ節電を行い、表示部にその蓄積中状態であることを表示し、データ蓄積中であり使用実態を分析した発熱体への通電制御が行われていないことを知らせることが可能になる電気湯沸かし器を提供することができる。
【０００７】
【発明の実施の形態】
請求項１に記載の発明は、収容する液体を加熱する発熱体と、使用状態を検出する使用検出手段と、使用検出手段からの出力を蓄積していく記憶手段と、記憶手段に蓄積された使用実態により発熱体への通電を制御する制御部を設け、前記使用検出手段からの出力を蓄積中に、蓄積中状態であることを表示させる表示部を設けることにより、使用頻度の低い時間帯は自動的に通電制御を停止させ節電を行い、さらにデータ蓄積中であり使用実態を分析した発熱体への通電制御が行われていないことを使用者に知らせることが可能になる効果が得られる。
【０００８】
【実施例】
以下、本発明の実施例について、図１〜図１２を参照しながら説明する。
【０００９】
（参考例１）
本発明の第１の参考例について図１〜図３を参照しながら説明する。図１において、容器１に収容されている液体２は加熱手段である発熱体３により加熱される。外部からの出湯操作や湯沸かし操作などの使用状態を検出する使用検出手段１１からの出力を記憶手段１２に蓄積していく。記憶手段１２は使用検出手段１１からの出力を時間、曜日、月日などによって整理し蓄積する。蓄積する期間は１日以上であり任意に設定でき、その期間中の保温温度は外部操作によって変更されない限り一定である。制御部１３は記憶手段１２に蓄積された使用実態を統計的に分析し使用者の生活パターンをもとに発熱体３への通電を制御する。
【００１０】
図２は本参考例のタイムチャートを示したものであり、制御部１３によって使用頻度が規定回数ｎ１以上使用されないと判断された時間帯は発熱体３への通電を完全に停止し、この完全に停止している時間を休止時間ｈ１とする。休止時間ｈ１中は保温及び湯沸かしの制御を停止する。ただし、保温及び湯沸かし目的以外での発熱体３への通電は休止時間ｈ１でも行われてもよい。また、休止時間以外においても保温温度を制御する場合の一時的に発熱体への通電停止は休止でなく通電状態とみなす。また休止時間ｈ１中の保温制御を自動的に行われる保温温度より低い温度で保温してもよく、このときは実際に使用する温度より低い温度で保温する。表示部４は保温温度・時刻・運転状況などを表示するものである。ここまでの説明が主要構成部である。制御部１３は２４時間に対しての総休止時間ｈｓの割合である休止率を演算する演算機能を有し、液晶などの表示部４に演算結果である休止率を表示する。
【００１１】
図３は第１の参考例の表示部を示したものである。表示部に保温温度・時刻・運転状況などの表示と同時に休止率表示するが、休止率のみの表示でもよい。記憶手段１２に使用検出手段１１からの出力を蓄積している途中もしくは１日以上のデータが蓄積されていない場合は休止率が表示されない。また２４時間に対しての総休止時間ｈｓと相反する総稼働時間ｈｍの割合である稼働率を演算しその結果を表示部４に表示してもよい。また、表示部に総休止時間ｈｓもしくは総稼働時間ｈｍを表示してもよい。また休止率及び稼働率は２４時間に限定されず任意に設定できる。
【００１２】
以上のような構成であれば、統計的に使用頻度の低い時間帯および一定期間の使用履歴がない時間帯は自動的に通電制御を停止させ節電を行うことができ、また節電の効果を使用者に認知させる効果が得られる。また表示部に表示する内容を音声により出力しても同様の効果が得られる。
【００１３】
（参考例２）
本発明の第２の参考例について図４を参照しながら説明する。なお、第２の参考例に示す電気湯沸かし器の主要構成は第１の参考例と同じであるため説明は省略する。
【００１４】
図４は第２の参考例の表示部を示したものである。休止時間ｈ１中は表示部４に保温温度・時刻・運転状況などの表示と同時に「休止中」と表示するか「休止中」のみの表示でもよい。表示内容は使用者に認知できればどのようなものでもよい。また外部操作によって表示が行われてもよい。
【００１５】
以上のような構成であれば、統計的に使用頻度の低い時間帯および一定期間の使用履歴がない時間帯は自動的に通電制御を停止させ節電を行うことができ、また節電中であり液体の温度が低い可能性があること、節電機能の動作中であることを使用者に認知させる効果が得られる。また表示部に表示する内容を音声により出力しても同様の効果が得られる。
【００１６】
（実施例１）
本発明の第１の実施例について図５を参照しながら説明する。なお、第１の実施例に示す電気湯沸かし器の主要構成は第１の参考例と同じであるため説明は省略する。
【００１７】
図５は第１の実施例の表示部を示したものである。使用検出手段１１からの出力を記憶手段１２に蓄積を行っている期間は、表示部４に保温温度・時刻・運転状況などの表示と同時に「蓄積中」と表示するか「蓄積中」のみの表示でもよい。表示内容は使用者に認知できればどのようなものでもよい。また外部操作によって表示が行われてもよい。
【００１８】
以上のような構成であれば、統計的に使用頻度の低い時間帯および一定期間の使用履歴がない時間帯は自動的に通電制御を停止させ節電を行うことができ、節電機能の動作中であることを使用者に認知させる効果が得られる。また表示部に表示する内容を音声により出力しても同様の効果が得られる。
【００１９】
（参考例３）
本発明の第３の参考例について図６を参照しながら説明する。なお、第３の参考例に示す電気湯沸かし器の主要構成は第１の実施例と同じであるため主な説明は省略する。さらに、発熱体３に通電する電気量を検出する電気量検出手段１４を設け、その出力を記憶手段１２に蓄積する。
【００２０】
図７は第３の参考例の表示部を示したものである。表示部４に任意時間あたりの蓄積している電気量データに対して使用実態を分析し発熱体への通電を制御した時の電気量の差もしくは比率を表示させる。電気量とは電力量または、電圧もしくは電流の積算値である。電気量の差もしくは比率で用いる蓄積している電気量データは総平均値もしくは別途設定された単位期間での最新値であり、さらに使用実態を分析し発熱体への通電を制御した時の電気量とは前単位期間における総量であり、単位期間を更新すると表示する電気量の差もしくは比率も更新される。単位期間とは一般的に１日であるが状況に応じて変化させてもよい。また、同一曜日など過去の同一条件下に対しての電気量差もしくは比率を表示させることができる。
【００２１】
以上のような構成であれば、統計的に使用頻度の低い時間帯および一定期間の使用履歴がない時間帯は自動的に通電制御を停止させ節電を行うことができ、また節電の効果を使用者に認知させる効果が得られる。また表示部に表示する内容を音声により出力しても同様の効果が得られる。
【００２２】
（参考例４）
本発明の第４の参考例について図６〜７を参照しながら説明する。なお、第４の参考例に示す電気湯沸かし器の主要構成は第１の参考例と同じであるため主な説明は省略する。さらに、発熱体３に通電する電気量を検出する電気量検出手段１４を設け、その出力を記憶手段１２に蓄積する。
【００２３】
図７は第４の参考例の表示部を示したものである。表示部４に任意に設定した電気量データに対して使用実態を分析し発熱体への通電を制御した時の電気量との差もしくは比率を表示させる。さらに、任意に設定した電気量データは、基本的な使用パターンにおいて消費する電気量を事前に測定し記憶手段１２に登録している。また、電気量とは電力量または、電圧もしくは電流の積算値である。使用実態を分析し発熱体への通電を制御した時の電気量とは前単位期間における総量であり、単位期間を更新すると表示する電気量の差もしくは比率も更新される。単位時間とは一般的に１日であるが状況に応じて変化させてもよい。
【００２４】
以上のような構成であれば、統計的に使用頻度の低い時間帯および一定期間の使用履歴がない時間帯は自動的に通電制御を停止させ節電を行うことができ、また節電の効果を使用者に認知させる効果が得られる。また表示部に表示する内容を音声により出力しても同様の効果が得られる。
【００２５】
（参考例５）
本発明の第５の参考例について図６〜７を参照しながら説明する。なお、第５の参考例に示す電気湯沸かし器の主要構成は第１の参考例と同じであるため主な説明は省略する。さらに、発熱体３に通電する電気量を検出する電気量検出手段１４を設け、その出力を記憶手段１２に蓄積する。
【００２６】
図７は第５の参考例の表示部を示したものである。表示部４に任意時間あたりの蓄積している電気量データから任意に選択した電気量に対して使用実態を分析し発熱体への通電を制御した時の電気量の差もしくは比率を表示させる。電気量とは電力量または、電圧もしくは電流の積算値である。電気量の差もしくは比率で用いる蓄積している電気量データは総平均値もしくは別途設定された単位期間での最新値であり、さらに使用実態を分析し発熱体への通電を制御した時の電気量とは前単位期間における総量であり、単位期間を更新すると表示する電気量の差もしくは比率も更新される。単位期間とは一般的に１日であるが状況に応じて変化させてもよい。また、同一曜日など過去の同一条件下に対しての電気量差もしくは比率を表示させることができる。
【００２７】
以上のような構成であれば、統計的に使用頻度の低い時間帯および一定期間の使用履歴がない時間帯は自動的に通電制御を停止させ節電を行うことができ、また節電の効果を使用者に認知させる効果が得られる。また表示部に表示する内容を音声により出力しても同様の効果が得られる。
【００２８】
（参考例６）
本発明の第６の参考例について図６〜７を参照しながら説明する。なお、第６の参考例に示す電気湯沸かし器の主要構成は第１の参考例と同じであるため主な説明は省略する。さらに、発熱体３に通電する電気量を検出する電気量検出手段１４を設け、その出力を記憶手段１２に蓄積する。
【００２９】
図７は第６の参考例の表示部を示したものである。表示部４に任意に設定した電気量データに対して使用実態を分析し発熱体への通電を制御した時の電気量との差もしくは比率を表示させる。任意に設定した電気量データは、複数の使用パターンにおいて消費する電気量を事前に測定し記憶手段１２に登録している。複数の使用パターンに対しての電気量との差もしくは比率を切り替えによって表示部に表示する。また、電気量とは電力量または、電圧もしくは電流の積算値である。使用実態を分析し発熱体への通電を制御した時の電気量とは前単位期間における総量であり、単位期間を更新すると表示する電気量の差もしくは比率も更新される。単位時間とは一般的に１日であるが状況に応じて変化させてもよい。
【００３０】
以上のような構成であれば、統計的に使用頻度の低い時間帯および一定期間の使用履歴がない時間帯は自動的に通電制御を停止させ節電を行うことができ、また節電の効果を使用者に認知させる効果が得られる。
【００３１】
（参考例７）
本発明の第７の参考例について図６及び図８を参照しながら説明する。なお、第７の参考例に示す電気湯沸かし器の主要構成は第１の参考例と同じであるため主な説明は省略する。さらに、発熱体３に通電する電気量を検出する電気量検出手段１４を設け、その出力を記憶手段１２に蓄積する。
【００３２】
図８は第７の参考例の表示部を示したものである。表示部４には記憶手段１２に記憶された電気料金の単価と、任意に設定した電気量データに対して使用実態を分析し発熱体への通電を制御した時の電気量との差を制御部１３によって電気料金に演算し結果を表示する。電気料金の単価は外部から入力・更新が可能である。任意の期間による電気量の積算値を記憶手段１２に記憶し、任意の期間における使用電気料金を表示することも可能である。
【００３３】
以上のような構成であれば、統計的に使用頻度の低い時間帯および一定期間の使用履歴がない時間帯は自動的に通電制御を停止させ節電を行うことができ、また節電の効果を金額の形で使用者に認知させる効果が得られる。
【００３４】
（参考例８）
本発明の第８の参考例について図９を参照しながら説明する。なお、第８の参考例に示す電気湯沸かし器の主要構成は第１の参考例と同じであるため説明は省略する。
【００３５】
図９は第８の参考例の表示部を示したものである。表示部４に任意に設定した電気量データに対して使用実態を分析し発熱体への通電を制御した時の温度制御パターンを表示させる。時間に対して発熱体への通電パターンを棒グラフ状に表示させる。現在の時間から先の予定を表示し、時刻とともに更新される。また一日単位で通電パターンを表示させる。また、棒グラフ状の表示中に現在の時間が認知できるように該当時間部を点滅などの表示をおこなう。
【００３６】
以上のような構成であれば、統計的に使用頻度の低い時間帯および一定期間の使用履歴がない時間帯は自動的に通電制御を停止させ節電を行うことができ、また運転状況が使用者に認知させることができ今後の運転予定も確認できる効果が得られる。
【００３７】
（参考例９）
本発明の第９の参考例について図１０を参照しながら説明する。なお、第９の参考例に示す電気湯沸かし器の主要構成は第１の参考例と同じであるため説明は省略する。
【００３８】
図１０は第９の参考例の表示部を示したものである。表示部４に任意に設定した電気量データに対して使用実態を分析し発熱体への通電を制御した時の保温パターンを表示させる。時間に対して保温パターンを棒グラフ状に表示させる。現在の時間から先の予定を表示し、時刻とともに更新される。また一日単位で保温パターンを表示させる。
【００３９】
以上のような構成であれば、統計的に使用頻度の低い時間帯および一定期間の使用履歴がない時間帯は自動的に通電制御を停止させ節電を行うことができ、また運転状況が使用者に認知させることができ今後の運転予定も確認できる効果が得られる。
【００４０】
（参考例１０）
本発明の第１０の参考例について図１１を参照しながら説明する。なお、第１０の参考例に示す電気湯沸かし器の主要構成は第１の参考例と同じであるため説明は省略する。
【００４１】
図１１は第１０の参考例の表示部４を示したものである。表示部４に使用実態を分析し発熱体への通電を制御している場合において、制御部１３によって発熱体への通電を完全に停止している場合に、次回通電時までの時間もしくは時刻を表示させる。
【００４２】
以上のような構成であれば、統計的に使用頻度の低い時間帯および一定期間の使用履歴がない時間帯は自動的に通電制御を停止させ節電を行うことができ、また次回通電開始時間が使用者に認知させることで他使用機器の併用による過電流使用を防止する効果が得られる。
【００４３】
（参考例１１）
本発明の第１１の参考例について図１２を参照しながら説明する。なお、第１１の参考例に示す電気湯沸かし器の主要構成は第１の参考例と同じであるため説明は省略する。
【００４４】
図１２は第１１の参考例の表示部４を示したものである。表示部４に使用実態を分析し発熱体への通電を制御している場合において、制御部１３によって発熱体への通電状態で保温温度を制御中に、次回休止までの時間もしくは時刻を表示させる。
【００４５】
以上のような構成であれば、統計的に使用頻度の低い時間帯および一定期間の使用履歴がない時間帯は自動的に通電制御を停止させ節電を行うことができ、また次回休止時間を使用者に認知させることができる効果が得られる。
【００４６】
（参考例１２）
本発明の第１２の参考例について図１３を参照しながら説明する。なお、第１２の参考例に示す電気湯沸かし器の主要構成は第１の参考例と同じであるため説明は省略する。
【００４７】
図１３は第１２の参考例の操作部５を示したものである。操作部５中に表示部４を設けてある。操作部５には制御部１３によって発熱体４への通電制御が行われる運転パターンと、任意設定された温度に連続して液体が保温される運転パターンとを外部手段によって切り替えられる。
【００４８】
以上のような構成であれば、使用頻度の低い時間帯は自動的に通電制御を停止させ節電を行う運転と、一定温度で保温する運転とを使用者が選択することが可能になる効果が得られる。
【００４９】
（参考例１３）
本発明の第１３の参考例について図１３を参照しながら説明する。なお、第１３の参考例に示す電気湯沸かし器の主要構成は第１の参考例と同じであるため説明は省略する。
【００５０】
図１３は第１３の参考例の操作部５を示したものである。操作部５中に表示部４を設けてある。表示部４部には制御部１３によって発熱体４への通電制御が行われる運転パターンと、任意設定された温度に連続して液体が保温される運転パターンのいずれかであることを表示する。本実施例では制御部１３によって発熱体４への通電制御が行われる運転パターン時に表示部４に「おまかせ保温」と表示するが、使用者に認識できればどのような表示でもよい。
【００５１】
以上のような構成であれば、使用頻度の低い時間帯は自動的に通電制御を停止させ節電を行う運転と、一定温度で保温する運転とのいずれかの運転パターンであるかを使用者が認識できる効果が得られる。
【００５２】
（参考例１４）
本発明の第１４の参考例について図１３を参照しながら説明する。なお、第１４の参考例に示す電気湯沸かし器の主要構成は第１の参考例と同じであるため説明は省略する。
【００５３】
図１３は第１４の参考例の操作部５を示したものである。操作部５中に表示部４を設けてある。操作部には制御部によって発熱体への通電制御が行われる運転パターンと、任意設定された温度に連続して液体が保温される運転パターンとを切り替えられる切り替えスイッチ５ａが設けている。
【００５４】
以上のような構成であれば、使用頻度の低い時間帯は自動的に通電制御を停止させ節電を行う運転と、一定温度で保温する運転とを使用者が選択することが可能になる効果が得られる。
【００５５】
【発明の効果】
以上のように、本発明によれば、使用頻度の低い時間帯は自動的に通電制御を停止させ節電を行い、表示部にその節電効果やデータ蓄積中であり使用実態を分析した発熱体への通電制御が行われていないことを表示することができる。
【図面の簡単な説明】
【図１】  本発明の第１の実施例及び第１と２及び８〜１４の参考例における電気湯沸かし器の縦断面図
【図２】  本発明の第１の実施例及び第２〜１４の参考例における電気湯沸かし器のタイムチャート
【図３】  本発明の第１参考例の電気湯沸かし器の表示部を示した図
【図４】  本発明の第２参考実施例の電気湯沸かし器の表示部を示した図
【図５】  本発明の第１実施例の電気湯沸かし器の表示部を示した図
【図６】  本発明の第３〜７参考例における電気湯沸かし器の縦断面図
【図７】  本発明の第３〜６参考例の電気湯沸かし器の表示部を示した図
【図８】  本発明の第７参考例の電気湯沸かし器の表示部を示した図
【図９】  本発明の第８参考例の電気湯沸かし器の表示部を示した図
【図１０】  本発明の第９参考例の電気湯沸かし器の表示部を示した図
【図１１】  本発明の第１０参考例の電気湯沸かし器の表示部を示した図
【図１２】  本発明の第１１参考例の電気湯沸かし器の表示部を示した図
【図１３】  本発明の第１２〜１４参考例の電気湯沸かし器の表示部を示した図
【図１４】  従来技術における電気湯沸かし器の使用実態と保温温度の関係を示した図
【符号の説明】
１  容器
２  液体
３  発熱体
４  表示部
５  操作部
５ａ  切り替えスイッチ
１１  使用検出手段
１２  記憶手段
１３  制御部
１４  電気量検出手段
【図１】
0003644425.tif 000002
【図２】
0003644425.tif 000003
【図３】
0003644425.tif 000004
【図４】
0003644425.tif 000005
【図５】
0003644425.tif 000006
【図６】
0003644425.tif 000007
【図７】
0003644425.tif 000008
【図８】
0003644425.tif 000009
【図９】
0003644425.tif 000010
【図１０】
0003644425.tif 000011
【図１１】
0003644425.tif 000012
【図１２】
0003644425.tif 000013
【図１３】
0003644425.tif 000014
【図１４】
0003644425.tif 000015